(57)【特許請求の範囲】
【請求項１】
箱状に形成され一面が開口した本体と、この本体の開口を覆う開閉自在な箱状に形成された扉と、この扉を前記本体に施錠する施錠装置とを備えた筺体の開閉構造において、前記扉の一側に支承軸を設け、前記本体側にこの支承軸の両端部を枢支し前後方向に延在する第１の案内部と左右方向に延在する第２の案内部とからなる案内溝を設け、この案内溝の第１の案内部の一端に前記支承軸を位置付けることにより前記扉を開閉自在とし、前記第２の案内部の一端に支承軸を位置付けることにより、前記施錠装置によって扉を前記本体に施錠可能とすることを特徴とする筺体の開閉構造。
【請求項２】
請求項１記載の筺体の開閉構造において、前記支承軸が前記第２の案内部の一端側に位置付けられることにより係合する係合手段を前記扉と筺体に設けたことを特徴とする筺体の開閉構造。
【請求項３】
請求項１または２記載の筺体の開閉構造において、前記支承軸を複数本に分割し、これら複数本の支承軸の両端部を枢支する案内溝を設けたことを特徴とする筺体の開閉構造。
【請求項４】
請求項１または２記載の筺体の開閉構造において、前記施錠装置の施錠動作に連動して前後方向に移動するロック部材を前記本体に設けるとともに、前記支承軸を前記第２の案内部の一端に位置付けることにより前記ロック部材に係合する被係合部を前記扉に設けたことを特徴とする筺体の開閉構造。
【発明の詳細な説明】
【０００１】
【発明の属する技術分野】
本発明は、本体と本体の開口を開閉する扉とからなり、高い密閉性と破壊防止のための対策が要求される筺体の開閉構造に関する。
【０００２】
【従来の技術】
例えば、自動販売機等に設けられている金庫室の金庫扉の開閉構造においては、扉を破壊し金庫の盗難を防止するために、開閉部のヒンジ部分を扉の内側に設けるいわゆる内ヒンジタイプによる開閉構造が採用されている。この種の内ヒンジタイプによる開閉構造としては、回動軸を一軸とし、軸を固定した構造のものと、回動軸を二軸とし、一方の軸を固定し他方の軸を移動可能とした構造のものがあった。
【０００３】
【発明が解決しようとする課題】
しかしながら、従来の筺体の開閉構造のうち、前者の場合には、扉と本体の開口部との間の嵌合調整が難しく熟練を要するという問題があった。また、後者の場合には、構造が複雑となるばかりか、部品点数が増えるので製造コストが増大するという問題があった。
【０００４】
本発明は上記した従来の問題に鑑みなされたものであり、その目的とするところは、構造を簡素化し、部品点数を減らし製造コストを削減した筺体の開閉構造を提供することにある。
【０００５】
【課題を解決するための手段】
この目的を達成するために、請求項１に係る発明は、箱状に形成され一面が開口した本体と、この本体の開口を覆う開閉自在な箱状に形成された扉と、この扉を前記本体に施錠する施錠装置とを備えた筺体の開閉構造において、前記扉の一側に支承軸を設け、前記本体側にこの支承軸の両端部を枢支し前後方向に延在する第１の案内部と左右方向に延在する第２の案内部とからなる案内溝を設け、この案内溝の第１の案内部の一端に前記支承軸を位置付けることにより前記扉を開閉自在とし、前記第２の案内部の一端に支承軸を位置付けることにより、前記施錠装置によって扉を前記本体に施錠可能とする。
したがって、支承軸を案内溝の両端の二位置に位置付けることにより、扉の施錠が可能となるとともに、扉の開閉が可能となる。
【０００６】
また、請求項２に係る発明は、請求項１に係る発明において、前記支承軸が前記第２の案内部の一端側に位置付けられることにより係合する係合手段を前記扉と筺体に設けたものである。
したがって、施錠装置による施錠の他に、係合手段による密閉も行われる。
【０００７】
また、請求項３に係る発明は、請求項１または２に係る発明において、前記支承軸を複数本に分割し、これら複数本の支承軸の両端部を枢支する案内溝を設けたものである。
したがって、扉の開閉動作中、案内溝内で案内される支承軸の撓み量が少なくなる。
【０００８】
また、請求項４に係る発明は、請求項１または２に係る発明において、前記施錠装置の施錠動作に連動して前後方向に移動するロック部材を前記本体に設けるとともに、前記支承軸を前記第２の案内部の一端に位置付けることにより前記ロック部材に係合する被係合部を前記扉に設けたものである。
したがって、本体の開口を扉を閉じ、施錠動作をすると、ロック部材と被係合部との係合により、扉の案内溝内での移動が規制される。
【０００９】
【発明の実施の形態】
以下、本発明の実施の形態を図を用いて説明する。図１は本発明に係る筺体の開閉構造において扉を開いた状態を示す斜視図である。図２は同じく扉を開いた状態を示す正面図、図３は図４におけるＩＩＩ−ＩＩＩ  線断面図である。図４は同じく扉を開いた状態を示す平面図、図５は同じく扉を閉じ始め扉の回動が終了した状態を示す平面図である。図６は同じく扉の前後方向の移動が終了した状態を示す平面図である。図７は同じく扉の左右方向の移動が終了し、扉によって筺体本体の開口部を閉じた状態を示す平面図である。
【００１０】
図１に示すように、全体を符号１で示す筺体は、共に金属によって形成された筺体本体２とこの筺体本体２の開口部５を開閉自在とする扉３とによって概ね構成されている。筺体本体２は略箱状に形成され、この筺体本体２の前面側は、図中右端側に設けた突出部４と、この突出部４に隣接した扁平直方体状の開口部５とによって形成されている。したがって、筺体本体２の上板６と底板７は共に平面視逆Ｌ字状に形成され、これら上板６と底板７の左端に一体に形成した側板８には錠前９が取り付けられている。この錠前９の回動軸１０には、図３に示すように、錠前プレート１１が固定されており、この錠前プレート１１の上端には円弧状の凹部１２が設けられている。
【００１１】
上板６と底板７の内面には、左右方向に延在する平板状の金属によって形成された上下の縁金１５，１５が、前端部を上板６と底板７の前端から前方に突出するように固着されている。これら縁金１５，１５の略中央の前端部には、前端の一部に開口１７ａを有するＵ字状の係合溝１７が設けられ、上下の縁金１５，１５の左端部には、それぞれ下方側と上方側に向かって階段状に形成された軸受部１９，１９が設けられている。これら軸受部１９，１９には、図５に示すように、前後方向（図中矢印Ａ−Ｂ方向）に延在する第１の案内部２１ａと、左右方向（図中矢印Ｃ−Ｄ方向）に延在する第２の案内部２１ｂとからなる逆Ｌ字状の案内溝２１，２１（一方の案内溝２１は不図示）が設けられている。
【００１２】
さらに、縁金１５，１５の左端はそれぞれ下方と上方とに折曲形成され、折曲部２４，２４が設けられ、これら折曲部２４，２４は筺体本体２の側板８の内側に固着されている。これら折曲部２４，２４の上下端部は正面視において、筺体本体２の内側に向かって階段状に形成され、後述するロックプレート２６を矢印Ａ−Ｂ方向に移動自在に支持する案内部２４ａ，２４ａを形成している。すなわち、図３に示すように、ロックプレート２６は平板によって正方形に形成されており、このロックプレート２６よりも上下方向の寸法が大きく形成されたガイドプレート２７がこのロックプレート２６に重ね合わせるようにして固着されている。
【００１３】
ロックプレート２６の後端の中央には腕部２８が矢印Ｂ方向に突設され、この腕部２８の後端部には、上述した錠前プレート１１の凹部１２に係合するピン２９が植設されている。ガイドプレート２７の上下端部は、折曲部２４，２４の案内部２４ａ，２４ａと筺体本体２の側板８との間に係入され、ロックプレート２６の上下端が案内部２４ａ，２４ａの上下端に挟まれることにより、ロックプレート２６が案内部２４ａ，２４ａによって矢印Ａ−Ｂ方向に移動自在に支持されている。このロックプレート２６は矢印Ａ方向に移動することによって、このロックプレート２６の前端部が筺体本体２の開口部５から前方側に突出するように構成されている。
【００１４】
図１および図２に示すように、扉３は、上板３１と底板３２と前板３３と一方側に設けられた側板３４とによって、後端側と他方側の側方が開口し筺体本体２の開口部５と略同じ大きさの箱状に形成されている。３６はヒンジ板であって、扉３の側板３４にこの側板３４と略平行となるように固定され、このヒンジ板３６の左端側は、この扉３の開口から突出しており、この左端の上下には円筒状の軸支承部３７，３７が一体に形成されている。この軸支持部３７，３７には、軸３８が回動自在に支持され、この軸３８の両端部を上述した筺体本体２の上下の軸受部１９，１９の案内溝２１，２１に係入し、不図示のＥリングによって軸３８の上下方向の移動を規制することにより、扉３がこの軸３８を介して筺体本体２に対して移動自在でかつ回動自在に支持される。
【００１５】
すなわち、図５に示すように、軸３８が案内溝２１の第１の案内部２１ａの下端、すなわち案内溝２１の一端に位置付けられたときには、扉３が筺体本体２の開口部５から外れた位置に位置付けられるので、扉３は軸３８を回動中心として回動させても扉３の右端部が筺体本体２の突出部４に接触しないように位置付けられている。したがって、扉３が回動可能な状態になっているので、扉３を軸３８を回動中心として図中時計方向に回動させることにより、図４に示すように、筺体本体２の開口部５が開放される。このとき、軸３８が第１の案内部２１ａの下端に位置付けられ、かつヒンジ板３６の軸支承部３７が扉３の開口から突出していることにより、筺体本体２の開口部５の前面側を大きく開放することが可能となる。
【００１６】
図５の状態から、扉３を矢印Ｂ方向へ移動させると、軸３８が第１の案内部２１ａに案内され、図６に示すように、第１の案内部２１ａの上端に位置付けると、扉３の上板３１の後端３１ａと底板３２の後端３２ａ（底板３２側は図示せず）が、筺体本体２の上板６の前端６ａと底板７の前端７ａ（底板７側は図示せず）に対接する。さらに、扉３を図中矢印Ｄ方向に移動させると、軸３８が第２の案内部２１ｂに案内される。したがって、図７に示すように、第２の案内部２１ｂの右端、すなわち案内溝２１の他端に位置付けると、扉３の上板３１の右端３１ｂと、底板３２の右端３２ｂ（底板３２側は図示せず）が、筺体本体２の上板６と底板７の突出端６ｂ，７ｂ（底板７側は図示せず）に対接する。
【００１７】
図１、図２および図４において、扉３の上板３１と底板３２の内面には、二対の縁金４１，４２が固着されており、一方の一対の縁金４１，４１には、上述した筺体本体２の上下の係合溝１７，１７に係合し、係合溝１７と係合手段を形成する突起４３，４３が設けられている。すなわち、上述したように、図６の状態にすると、突起４３が係合溝１７の開口１７ａから係合溝１７内に係入され、この状態から図７の状態にすると、突起４３が係合溝１７に係合するので、扉３の矢印Ａ方向への移動が阻止される。
【００１８】
このように、係合手段としての係合溝１７と突起４３を設け、扉３の矢印Ａ方向への移動を阻止したことにより、後述するように、ロックプレート２６とブラケット４５との係合による扉３の施錠をより確実にすることができる。
【００１９】
図６に示すように、上下の縁金４２，４２の図中右端部４２ａ，４２ａは、扉３の上板３１と底板３２の右端３１ｂ，３２ｂ（底板３２側は図示せず）から突出している。したがって、図６の状態から図７の状態にすると、扉３の上板３１の右端３１ｂと筺体本体２の上板６の突出端６ｂとが対接するので、この端部４２ａが筺体本体２の上板６と重なり合う。このため、これら対接した突出端６ｂと右端３１ｂから筺体１内へドライバー等をこじ入れようとしても上板６と重なり合った端部４２ａによって規制されるので、筺体１の密閉性が確保されるとともに、筺体１の破壊防止対策にも有効である。また、ヒンジ板３６を扉３の内側に設けるとともに、軸受部１９を筺体本体２の内側に設けたことにより、図７に示すように、扉３によって筺体２の開口部５を閉じることにより、ヒンジ板３６が筺体１の内部に位置付けられる、いわゆる内ヒンジとしている。したがって、外部からヒンジ板３６等を破壊することが困難であるから、防犯上有効である。
【００２０】
図２および図７において、４５は上述したロックプレート２６が係合する被係合部材としてのブラケットであって、図７に示すように扉３によって筺体本体２の開口が閉じられた状態で、ロックプレート２６が矢印Ａ方向に移動すると、ロックプレート２６の前端部がブラケット４５に係合する。したがって、この状態で、扉３を矢印Ｃ方向に移動させようとしても、これらロックプレート２６とブラケット４５との係合によって阻止されるので、扉３の施錠が確保される。このように、扉３の施錠をロックプレート２６とブラケット４５との係合によって行うようにしたことにより、構造が簡素化されるとともに、部品点数が削減され製造コストも削減される。
【００２１】
この状態から扉３を開くには、図３に示すように、錠前９の回動軸１０を図中時計方向に回動することにより、錠前プレート１１も一体的に時計方向に回動するので、凹部１２に係合するピン２９を介してロックプレート２６が矢印Ｂ方向に移動する。図７において、ロックプレート２６とブラケット４５との係合が解除されるので、扉３を矢印Ｃ方向に移動させ、図６に示すように、軸３８を第２の案内部２１ｂの左端に位置付けると、扉３の縁金４２の端部４２ａが筺体本体２の上板６の突出端６ｂから離間する。
【００２２】
したがって、扉３を矢印Ａ方向に移動させると、図５に示すように、軸３８が第１の案内部２１ａの下端に位置付けられ、扉３が筺体本体２の開口部５から外れるので、軸３８を回動中心として扉３を時計方向に回動することにより、図４に示すように開口部５が開放される。
【００２３】
このように、扉３を開閉するのに、１本の軸３８と軸受部１９に設けた案内溝２１によって行うようにしたことにより、構造が簡素化されるとともに、部品点数が削減され製造コストも削減される。
【００２４】
軸３８を２本に分割し、例えば軸支承部３７に対応した部位のみの長さとしてもよく、その場合には、扉３を開閉するときに、分割された長さの短い軸３８の撓み量が小さくなるので、案内溝２１内での軸３８の大きなこすれが発生しないので扉３の開閉が円滑に行われる。
【００２５】
【発明の効果】
以上説明したように、請求項１に係る発明によれば、構造が簡素化されるとともに、部品点数が削減され製造コストも削減される。
【００２６】
また、請求項２に係る発明によれば、施錠状態が確実になる。
【００２７】
また、請求項３に係る発明によれば、扉の開閉が円滑に行える。
【００２８】
また、請求項４に係る発明によれば、構造が簡素化されるとともに、部品点数が削減され製造コストも削減される。
【図面の簡単な説明】
【図１】本発明に係る筺体の開閉構造において扉を開いた状態を示す斜視図である。
【図２】本発明に係る筺体の開閉構造において扉を開いた状態を示す正面図である。
【図３】図４におけるＩＩＩ−ＩＩＩ  線断面図である。
【図４】本発明に係る筺体の開閉構造において、扉を開いた状態を示す平面図である。
【図５】本発明に係る筺体の開閉構造において、扉を閉じ始め扉の回動が終了した状態を示す平面図である。
【図６】本発明に係る筺体の開閉構造において、扉の前後方向の移動が終了した状態を示す平面図である。
【図７】本発明に係る筺体の開閉構造において、扉の左右方向の移動が終了し、扉によって筺体本体の開口部を閉じた状態を示す平面図である。
【符号の説明】
１…筺体、２…筺体本体、３…扉、５…開口部、９…錠前、１７…係合溝、１９…軸受部、２１…案内溝、２１ａ…第１の案内部、２１ｂ…第２の案内部、２６…ロックプレート、３６…ヒンジ板、３７…軸支承部、３８…軸、４３…突起。
【図１】
0003620428.tif 000002
【図２】
0003620428.tif 000003
【図３】
0003620428.tif 000004
【図４】
0003620428.tif 000005
【図５】
0003620428.tif 000006
【図６】
0003620428.tif 000007
【図７】
0003620428.tif 000008